(57)【要約】【課題】常夜灯点灯時にカバーに模様が映し出され、就寝時に暗闇を怖がる子供の気持ちを和らげることができる照明器具を提供する。【解決手段】この照明器具は、子供部屋の天井面に直接取り付けられるものであって、器具本体１の前面側に蛍光ランプ２および常夜灯３が配設され、器具本体１を前面側から覆うように透光性カバー４が器具本体１に装着されて構成される。透光性カバー４の前面側の内面の外周近傍には、透明地の一部に透光性塗料を塗布してなる模様部５ａが設けられたリング状のフィルタ部材５が配置されており、常夜灯点灯時には、模様部５ａの影５ａ’が透光性カバー４の前面の周部に映し出される。【選択図】        図１
2004234916.tif 000002
【特許請求の範囲】
【請求項１】
上面側が天井面と対向するように天井面に取着され下面側に放電灯および常夜灯が配設される器具本体と、器具本体を下面側から覆うように器具本体に装着される透光性カバーと、透明地の一部に透光性塗料を塗布してなる模様部が設けられたフィルタ部材とを備え、前記フィルタ部材を前記透光性カバーの内部の外周部分に配置したことを特徴とする照明器具。
【請求項２】
前記常夜灯の下面を、前記放電灯の下面よりも下方に突出させたことを特徴とする請求項１記載の照明器具。
【請求項３】
前記放電灯は環形であり、前記常夜灯を前記放電灯の内側に配置したことを特徴とする請求項２記載の照明器具。
【請求項４】
前記透光性カバーの下面側の外周部分を前記放電灯の下面よりも下方に配置したことを特徴とする請求項３記載の照明器具。
【請求項５】
前記常夜灯は、クリアタイプの豆球であることを特徴とする請求項１乃至４の何れか記載の照明器具。
【発明の詳細な説明】
【０００１】
【発明の属する技術分野】
本発明は、常夜灯点灯時にカバーに模様が映し出される照明器具に関するものである。
【０００２】
【従来の技術】
従来、上面側が天井面に取着され下面側に放電灯が配置される器具本体と、器具本体を下面側から覆うように器具本体に装着される透光性カバーとを備え、放電灯点灯時に、前記透光性カバーの一部に印刷された印刷面により前記透光性カバーに模様が浮き出るようにした照明器具が提供されている（例えば特許文献１参照。）。
【０００３】
【特許文献１】
特開平８−４５３１５号公報
【０００４】
【発明が解決しようとする課題】
ところで、子供部屋などで使用される照明器具は、就寝時に消灯すると部屋が暗闇（もしくは常夜灯の明かりのみ）となるため、子供が怖がるという問題があった。
【０００５】
そこで、消灯時（常夜灯点灯時）にカバーに楽しい模様などが映し出されると、それを見た子供が楽しい気分になり暗闇を怖がる気持ちを和らげることができるが、現在、常夜灯点灯時にカバーに模様などが映し出される照明器具は存在していない。
【０００６】
本発明は上記問題点に鑑みて為されたものであって、その目的とするところは、常夜灯点灯時にカバーに模様が映し出され、就寝時に暗闇を怖がる人の気持ちを和らげることができる照明器具を提供することにある。
【０００７】
【課題を解決するための手段】
上記目的を達成するために、請求項１記載の照明器具は、上面側が天井面と対向するように天井面に取着され下面側に放電灯および常夜灯が配設される器具本体と、器具本体を下面側から覆うように器具本体に装着される透光性カバーと、透明地の一部に透光性塗料を塗布してなる模様部が設けられたフィルタ部材とを備え、前記フィルタ部材を前記透光性カバーの内部の外周部分に配置したものとした。
【０００８】
請求項２記載の照明器具は、請求項１記載の発明において、前記常夜灯の下面を、前記放電灯の下面よりも下方に突出させたものとした。
【０００９】
請求項３記載の照明器具は、請求項２記載の発明において、前記放電灯は環形であり、前記常夜灯を前記放電灯の内側に配置したものとした。
【００１０】
請求項４記載の照明器具は、請求項３記載の発明において、前記透光性カバーの下面側の外周部分を前記放電灯の下面よりも下方に配置したものとした。
【００１１】
請求項５記載の照明器具は、請求項１乃至４の何れか記載の発明において、前記常夜灯は、クリアタイプの豆球であるものとした。
【００１２】
【発明の実施の形態】
以下、本発明を一実施形態によって詳細に説明する。
【００１３】
図１に、本実施形態の照明器具の模式的な断面図を示す。この照明器具は、子供部屋の天井面に上面側が直接取り付けられるものであって、器具本体１の下面側に蛍光ランプ２および常夜灯３が配設され、器具本体１を下面側から覆うように透光性カバー（いわゆるセードあるいはグローブ）４が器具本体１に装着されて構成される。また、透光性カバー４内には、リング状のフィルタ部材５が配置されている。
【００１４】
器具本体１は、平面視が略円形であって、その中央部には開口１ａが設けられ、その開口１ａの内側には電源との電気的接続部であると共に天井への取り付け手段たる取付部（図示せず）が設けられ、取付部を介して天井面に配設された引掛けシーリング等の配線器具に取付される。
【００１５】
蛍光ランプ２は、環形であって、器具本体１の下面（下面）側に設けられたランプソケット（図示せず）に口金を装着し、複数のランプフォルダ６によって器具本体１の下面側に支持される。
【００１６】
常夜灯３は、クリアタイプの豆球であり、環状の蛍光ランプ２の内側で器具本体１の下面側に設けられたランプソケット（図示せず）に装着される。この時、常夜灯３の下面が、蛍光ランプ２の下面の位置（図１中、図示ａの位置）よりも、下方に突出するように配置されている。
【００１７】
透光性カバー４は、アクリル樹脂のような透光性材料によって上面側に開口部４ａを有する略椀形に形成され、開口部４の周縁に立設された周壁４ｂを器具本体１の内側に収納するようにして器具本体１の下面側に装着される。
【００１８】
この透光性カバー４は、全体が乳白色であって、下面側の外周近傍には、全周にわたって段部４ｃが形成されている。この段部４ｃには、外観にデザイン上のアクセントをつけるために塩化ビニルなどからなる細い帯状部材（いわゆるバンド）７が全周にわたって取着されている。
【００１９】
また、透光性カバー４は、下面側の外周部分（段部４ｃより外側の周部。図１の図示ｂの範囲）が蛍光ランプ２の下面（図１中、図示ａの位置）よりも下方に位置するように配置されている。
【００２０】
フィルタ部材５は、図２に示すように、透明アクリル樹脂板のような透明な板材を短冊状に形成すると共に、透明地の一部に透光性塗料を塗布して描いた模様部５ａを設け、板材の両端縁を重ね合わせることでリング状に形成されている。
【００２１】
模様部５ａの模様は、子供が見て楽しくなるものが良く、例えば本実施形態の模様部５ａでは、星のラインが乳白色の透光性塗料を塗布して描かれている。
【００２２】
なお、フィルタ部材５は、複数の短冊状の板材を各々両端縁でつなぎ合わせてリング状に形成してもよい。
【００２３】
リング状に形成されたフィルタ部材５は、透光性カバー４の開口部４ａから透光性カバー４内に挿入され、透光性カバー４の段部４ｃ近傍の位置に、図示しない取付金具などを用いて透光性カバー４に取り付けられる。
【００２４】
而して、フィルタ部材５を取り付けた透光性カバー４を器具本体１の下面に装着すると、フィルタ部材５は、透光性カバー４の内部の外周部分に配置されることとなる。
【００２５】
以上のように構成された照明器具は、蛍光ランプ２が消灯され常夜灯３が点灯されると、前述したように蛍光ランプ２の下面（図１中、図示ａの位置）よりも下方に位置するように配置された透光性カバー４の下面側の外周部分（段部４ｃより外側の周部。図１の図示ｂの範囲）に、フィルタ部材５の模様部５ａの影５ａ’が映し出される。
【００２６】
すなわち、照明器具を下面側から見ると、図３（ａ）に示すように透光性カバー４の下面のうち帯状部材７より外側の周部に、模様部５ａの影５ａ’が映し出される。
【００２７】
この時、常夜灯３の下面を、蛍光ランプ２の下面よりも下方に突出させたので、常夜灯３の光が蛍光ランプ２に邪魔されることなく、透光性カバー４全体に行き渡り、透光性カバー４の周部全体に影５ａ’を映し出すことができる。
【００２８】
また、常夜灯３を蛍光ランプ２の内側に配置したので、常夜灯３の光があまり偏ることなく透光性カバー４全体に均一に行き渡る。
【００２９】
また、常夜灯３としてクリアタイプの豆球を使うことで、影５ａ’をはっきりと映し出すことができる。
【００３０】
一方、蛍光ランプ２の点灯時には、蛍光ランプ２の光は透明地のフィルタ部材５（透光性塗料で描かれた模様部５ａを含む）を透過し、図３（ｂ）に示すように、透光性カバー４の周部に影５ａ’を映し出すことなく従来通りに点灯する。
【００３１】
かかる照明器具においては、蛍光ランプ２の点灯時には何もなかった透光性カバー４の下面側の外周部分に、蛍光ランプ２を消灯して常夜灯３を点灯すると星の影が映し出されるので、星の影が映し出される面白さと星の影を見る楽しさとで子供が楽しい気分になり、暗闇を怖がる気持ちを和らげることができる。また、星の影が透光性カバー４の下面側の外周部に映し出されるので、子供が寝たままの姿勢でもその星の模様を見ることができる。
【００３２】
【発明の効果】
請求項１記載の照明器具は、上面側が天井面と対向するように天井面に取着され下面側に放電灯および常夜灯が配設される器具本体と、器具本体を下面側から覆うように器具本体に装着される透光性カバーと、透明地の一部に透光性塗料を塗布してなる模様部が設けられたフィルタ部材とを備え、前記フィルタ部材を前記透光性カバーの内部の外周部分に配置したので、常夜灯を点灯すると前記フィルタ部材に設けられた模様部の影が前記透光性カバーの外周部分に映し出され、それを見た人は影が映し出される面白さと影を見る楽しさとで楽しい気分になり、暗闇を怖がる気持ちを和らげることができるという効果がある。また、前記フィルタ部材が透明地の一部に透光性塗料を塗布してなる模様部を設けたものなので、放電灯点灯時には、放電灯の光が前記フィルタ部材を透過して透光性カバーに模様部の影が出ないようにすることが可能である。
【００３３】
請求項２記載の照明器具は、請求項１記載の発明において、前記常夜灯の下面を、前記放電灯の下面よりも下方に突出させたので、前記常夜灯の光が、前記放電灯に邪魔されることなく前記透光性カバー全体に行き渡たるという効果がある。
【００３４】
請求項３記載の照明器具は、請求項２記載の発明において、前記放電灯は環形であり、前記常夜灯を前記放電灯の内側に配置したので、前記常夜灯の光が、透光性カバー全体に均一に行き渡たるという効果がある。
【００３５】
請求項４記載の照明器具は、請求項３記載の発明において、前記透光性カバーの下面側の外周部分を前記放電灯の下面よりも下方に配置したので、前記透光性カバーの下面側の外周部分に前記フィルタ部材の模様部の影を映し出すことができ、人が寝た姿勢でも前記模様部の影を見ることができるという効果がある。
【００３６】
請求項５記載の照明器具は、請求項１乃至４の何れか記載の発明において、前記常夜灯は、クリアタイプの豆球であるので、前記フィルタ部材の模様部の影をはっきりと映し出すことができるという効果がある。
【図面の簡単な説明】
【図１】本実施形態の照明器具の模式的な断面図である。
【図２】同上のフィルタ部材を説明する図である。
【図３】（ａ）常夜灯点灯時に同上の照明器具を下から見た図である。
（ｂ）蛍光ランプ点灯時に同上の照明器具を下から見た図である。
【符号の説明】
１  器具本体
２  蛍光ランプ
３  常夜灯
４  透光性カバー
５  フィルタ部材
５ａ  模様部
６  ランプフォルダ
７  帯状部材
【図１】
2004234916.tif 000003
【図２】
2004234916.tif 000004
【図３】
2004234916.tif 000005